(57)【要約】  大空間を有する建物の天井付近に設置される送風装置であって、送風ファンを内蔵し、空気吸込口及び空気吹出口を有する送風機本体と、前記建物に取付けられ、前記送風機本体を俯仰動可能に支持する取付ブラケットと、前記送風機本体を俯仰動させる電動機と、前記電動機を制御するリモートコントローラと、を備え、前記リモートコントローラは、前記電動機を制御して、前記空気吹出口を、少なくとも、水平０°〜下向き９０°の角度範囲で俯仰動させる。
2009107200.tif 000002
【特許請求の範囲】
【請求項１】
大空間を有する建物の天井付近に設置される送風装置であって、
送風ファンを内蔵し、空気吸込口及び空気吹出口を有する送風機本体と、
前記建物に取付けられ、前記送風機本体を俯仰動可能に支持する取付ブラケットと、
前記送風機本体を俯仰動させる電動機と、
前記電動機を制御するリモートコントローラと、
を備えることを特徴とする送風装置。
【請求項２】
前記リモートコントローラは、前記電動機を制御して、前記空気吹出口を、少なくとも、水平０°〜下向き９０°の角度範囲で俯仰動させることを特徴とする請求項１に記載の送風装置。
【請求項３】
前記リモートコントローラは、前記電動機を制御して、前記空気吹出口を、前上向き４５°〜下向き９０°〜後上向き４５°の角度範囲で俯仰動させることを特徴とする請求項１に記載の送風装置。
【請求項４】
前記空気吹出口は、２２．５°の角度ピッチで俯仰動されることを特徴とする請求項１に記載の送風装置。
【請求項５】
前記電動機は、前記取付ブラケットに設置され、該電動機の回転軸が前記送風機本体に連結されていることを特徴とする請求項１に記載の送風装置。
【請求項６】
前記電動機は、前記送風機本体内に設置され、該電動機の回転軸が前記取付ブラケットに連結されていることを特徴とする請求項１に記載の送風装置。
【請求項７】
前記送風機本体の支持軸を、前記送風機本体の略重心位置に配置したことを特徴とする請求項１に記載の送風装置。
【請求項８】
前記送風機本体の両側部に２つの前記取付ブラケットを備え、
前記２つの取付ブラケット同士は、ステーにより連結され固定されていることを特徴とする請求項１に記載の送風装置。
【請求項９】
前記取付ブラケットと前記送風機本体の支持軸とが非垂直状態で連結されるのを許容する弾性連結部材を備えることを特徴とする請求項１に記載の送風装置。
【請求項１０】
前記送風機本体の支持軸と前記電動機の回転軸とが、軸ずれ及び軸傾斜を許容するカップリングにより連結されていることを特徴とする請求項１に記載の送風装置。
【請求項１１】
前記送風機本体の俯仰角度に応じて該送風機本体の風量を調整可能であることを特徴とする請求項１に記載の送風装置。
【請求項１２】
独立に俯仰動可能な２機の送風機本体を備えることを特徴とする請求項１に記載の送風装置。
【発明の詳細な説明】
【技術分野】
【０００１】
本発明は、駐車場、工場、体育館、倉庫等、大空間を有する建物の天井付近に設置され、空気を搬送する送風装置に関するものである。
【背景技術】
【０００２】
大空間を有する建物に設置される送風装置は、風を遠くまで送れるように、通常、邪魔物のない建物の天井付近に設置される。大きな建物では、夏季は、熱気が天井下に滞留するため、熱気を水平方向へ送り、建物の外壁に設置された換気ファンにより外部へ排熱する必要がある。一方、冬期は、空調機等で暖められた空気が上昇するため、天井付近の暖かい空気を下方に送り、建物内の暖気を循環させて暖房効率を上げる必要がある。しかしながら、送風装置が高所に設置されているので、夏季と冬季で送風装置の送風方向を変えるのは容易ではない。【０００３】
従来、チャンバと、送風機と、前記チャンバの異なった位置に設けられ、前記送風機からのエアを吹き出すための複数のノズルとを備えた送風装置において、前記送風機からのエアを、前記異なった位置に設けられた各ノズル側に切り替えて供給するためのダンパを有し、前記ノズルからのエアの吹き出し方向が相互にほぼ直角方向となるように、前記ノズルが前記チャンバに配置されている大空間用送風装置がある。【０００４】
前記ダンパは、モータによって駆動され、該モータは他からの信号に基づいて駆動される。また、前記各ノズルは、チャンバに形成された吹出口に設けられ、前記ノズルのうち少なくとも１つのノズルは、吹出口中心線を中心として回転自在であって、かつ当該回転自在なノズルの吹出口は吹出口中心線から偏向している（例えば、特許文献１参照）。【０００５】
【特許文献１】特開２００７−１９２５３０号公報
【発明の開示】
【発明が解決しようとする課題】
【０００６】
しかしながら、上記従来の技術によれば、ダンパの切り替えにより、ノズルからのエアの吹き出し方向を、横方向と下方とに切り替えることができるが、エアの吹き出し方向を、広範囲に、かつ、木目細かく調整することができない、という問題があった。【０００７】
また、チャンバ内にダンパの切替動作のための空間を必要とし、大きなチャンバ（送風機筐体）が必要であり、さらに、チャンバ内で風向を変えているので、圧力損失による風量損失が大きい、という問題があった。【０００８】
本発明は、上記に鑑みてなされたものであって、空気の吹き出し方向を、遠隔操作により、容易に、広範囲に、かつ、木目細かく調整することができ、小型で風量損失の小さい送風装置を得ることを目的とする。
【課題を解決するための手段】
【０００９】
上述した課題を解決し、目的を達成するために、本発明は、大空間を有する建物の天井付近に設置される送風装置であって、送風ファンを内蔵し、空気吸込口及び空気吹出口を有する送風機本体と、前記建物に取付けられ、前記送風機本体を俯仰動可能に支持する取付ブラケットと、前記送風機本体を俯仰動させる電動機と、前記電動機を制御するリモートコントローラと、を備えることを特徴とする。
【発明の効果】
【００１０】
本発明にかかる送風装置は、空気の吹き出し方向を、遠隔操作により、容易に、広範囲に、かつ、木目細かく調整することができ、小型で風量損失が小さいという効果を奏する。また、送風機本体が俯仰動すると、空気吸込口及び送風機本体の上面も俯仰動するので、埃が付着し易い空気吸込口及び送風機本体の上面を、下又は横向きにし、長い柄に取付けた箒等で清掃することができる。
【図面の簡単な説明】
【００１１】
【図１】図１は、本発明にかかる送風装置の実施の形態１を示す正面図である。
【図２】図２は、実施の形態１の送風装置の上面図である。
【図３】図３は、実施の形態１の送風装置の左側面図である。
【図４】図４は、実施の形態１の送風装置の空気吹出口を下方に向けたときの左側面図である。
【図５】図５は、実施の形態１の送風装置の左側縦断面図である。
【図６】図６は、実施の形態１の送風装置の右側縦断面図である。
【図７】図７は、実施の形態１の送風装置の取付ブラケットの左側面図である。
【図８−１】図８−１は、風向切替コントローラーの正面図である。
【図８−２】図８−２は、風向切替コントローラーの側面図である。
【図９】図９は、本発明にかかる送風装置の実施の形態２を示す正面図である。
【図１０】図１０は、実施の形態２の送風装置の上面図である。
【図１１】図１１は、実施の形態２の送風装置の側面図である。
【図１２】図１２は、本発明にかかる送風装置の実施の形態３を示す正面図である。
【図１３】図１３は、実施の形態３の送風装置の上面図である。
【図１４】図１４は、実施の形態３の送風装置を建物に設置した状態を示す平面図である。
【図１５】図１５は、実施の形態３の送風装置を建物に設置した状態を示す側面図である。
【符号の説明】
【００１２】
１０  送風機本体
１１  筐体
１１ａ  制御ボックス
１１ｂ  送風ファンボックス
１１ｃ  空気吹出口
１１ｄ  風向ガイド
１１ｅ  空気吸込口
１１ｆ  左側壁
１１ｇ，１１ｉ  側部カバー
１１ｈ  右側壁
１１ｊ  円弧状長孔
１２  送風ファン
２１  第１の取付ブラケット
２１ａ  取付フランジ
２１ｂ  切欠き部
２１ｃ  端子台カバー
２１ｄ  内部配線
２１ｅ  フレキシブルチューブ
２１ｆ  配線カバー
２２  第２の取付ブラケット
２２ａ  取付フランジ
２２ｂ  切欠き部
２５  ステー
２７  吊ボルト
３０  ステッピングモータ（電動機）
３０ａ  回転軸
３１  モータブラケット
３２  カップリング
３３  原点突起
３４  リミットスイッチ
３７  制御部
４０  風向切替コントローラー（リモートコントローラー）
４１  本体部
４２  パネル部
４３  角度調整ダイヤル
４４  俯仰角度銘板
５０  第１の支持軸
５０ａ  フランジ部
５１  ころがり軸受
５２  軸受ホルダ
５３  球面軸受
５４  止め板
５５  ナット
５６  ゴムブッシュ（弾性連結部材）
５７  第２の支持軸
５８  ワッシャ
５９  ガイドピン
５９ａ  ブッシュ
１００  送風装置
【発明を実施するための最良の形態】
【００１３】
以下に、本発明にかかる送風装置の実施の形態を図面に基づいて詳細に説明する。なお、この実施の形態によりこの発明が限定されるものではない。【００１４】
実施の形態１．
図１は、本発明にかかる送風装置の実施の形態１を示す正面図であり、図２は、実施の形態１の送風装置の上面図であり、図３は、実施の形態１の送風装置の左側面図であり、図４は、実施の形態１の送風装置の空気吹出口を下方に向けたときの左側面図であり、図５は、実施の形態１の送風装置の左側縦断面図であり、図６は、実施の形態１の送風装置の右側縦断面図であり、図７は、実施の形態１の送風装置の第１の取付ブラケットの左側面図であり、図８−１は、風向切替コントローラーの正面図であり、図８−２は、風向切替コントローラーの側面図である。【００１５】
図１〜図８−２に示すように、実施の形態１の送風装置１００は、建物の換気補助用の送風装置であり、軸流型の送風ファン１２を筐体１１内に内臓する送風機本体１０と、大空間を有する建物の天井付近に取付けられ送風機本体１０を俯仰動（上下揺動）可能に軸支持する第１、第２の取付ブラケット２１、２２と、送風機本体１０を俯仰動させる電動機３０(図５参照)と、建物の内壁等に設置され電動機３０の制御部３７（図５参照）に俯仰角度指令を送信するリモートコントローラーとしての風向切替コントローラー４０（図８−１、図８−２参照）と、を備えている。【００１６】
送風機本体１０の筐体１１は、左右方向に長い直方体状に形成されている。筐体１１の左側略１／４は、電動機３０及び制御部３７を収容する制御ボックス１１ａとなっていて、残りの略３／４は、送風ファンボックス１１ｂとなっている。送風ファンボックス１１ｂ内には、左右方向に一列に５台の軸流型の送風ファン１２が設置されている。【００１７】
送風ファンボックス１１ｂの前面には、長方形の空気吹出口１１ｃが形成され、空気吹出口１１ｃの上下方向中央部には、空気吹出口１１ｃを上下に分け、送風ファン１２が吹出す空気を上下に分流して風速を増大させ、遠くまで届くようにする風向ガイド１１ｄが設けられている。また、送風ファンボックス１１ｂの後面には、空気吸込口１１ｅが形成されている。送風ファンボックス１１ｂの上面又は下面に空気吸込口１１ｅを形成してもよい。【００１８】
図５に示すように、筐体１１の左側壁１１ｆには、左側壁１１ｆを貫通する第１の支持軸５０が取付けられている。第１の支持軸５０は、その軸線が送風機本体１０の略重心位置を通るように配置される。送風機本体１０の上下揺動の支持軸を、送風機本体１０の略重心位置に配置することにより、電動機３０のトルク負荷を軽減させることができ、静止時の補助トルクも軽減される。それ故、ステッピングモータ３０が小型のものでよく、送風機本体１０の俯仰動作が安定する。【００１９】
第１の支持軸５０の軸方向中央部には、フランジ部５０ａが設けられている。フランジ部５０ａを挟むように２つのころがり軸受５１、５１の内輪が第１の支持軸５０に両側から嵌め込まれ、ころがり軸受５１、５１の外輪が軸受ホルダ５２、５２により、左側壁１１ｆに固定される。フランジ部５０ａがスラスト荷重受けとなり、第１の支持軸５０は、軸方向に動かないように固定される。【００２０】
左側壁１１ｆの内側に、モータブラケット３１を介して、電動機としてのステッピングモータ３０が取付けられる。ステッピングモータ３０の回転軸３０ａと第１の支持軸５０の右端部とが、カップリング３２により連結される。カップリング３２により、部品の製造誤差や組立時の変形による回転軸３０ａと第１の支持軸５０との間の軸ずれ及び軸傾斜が許容される。また、電動機３０を送風機本体１０の筐体１１内に収容しているので、送風装置１００は、外観の意匠性に優れている。【００２１】
ころがり軸受５１とカップリング３２の間の第１の支持軸５０には、送風機本体１０の俯仰角度原点（上向き角３０°）を示す原点突起３３が取付けられている。左側壁１１ｆの内側には、原点突起３３の俯仰角度位置を検出するリミットスイッチ３４が取付けられている。ステッピングモータ３０の上方の制御ボックス１１ａ内には、風向切替コントローラー４０からの俯仰角度指令に基づいて、ステッピングモータ３０を所定角度回転させる制御部３７が設置されている。【００２２】
筐体１１への第１の支持軸５０の組付け後に、左側壁１１ｆに、外側から側部カバー１１ｇを取付ける。第１の取付けブラケット２１に取付けられた球面軸受５３に、第１の支持軸５０の左側を挿通し、Ｄカットされた左端部に止め板５４を嵌合し、ナット５５により止め板５４を左端部に固定する。【００２３】
止め板５４の両端部をゴムブッシュ５６、５６を介して第１の取付ブラケット２１にねじ止めする。球面軸受５３、止め板５４及び弾性連結部材としてのゴムブッシュ５６を介して、第１の支持軸５０を第１の取付ブラケット２１に連結、固定したので、部品の製造誤差や、取付ブラケット２１を天井に取付けたときの傾斜等により、第１の取付ブラケット２１と第１の支持軸５０とが非垂直状態で連結されるのが許容される。【００２４】
図６に示すように、筐体１１の右側壁１１ｈには、外側から側部カバー１１ｉが取付けられる。側部カバー１１ｉには、外方へ突出する第２の支持軸５７が取付けられている。第２の支持軸５７は、第１の支持軸５０の軸線上に配置される。【００２５】
第２の取付けブラケット２２に取付けられた球面軸受５３に、第２の支持軸５７を挿通し、第２の支持軸５７の右端部にワッシャ５８を嵌合し、ナット５５により固定する。球面軸受５３を介して、第２の支持軸５７を第２の取付ブラケット２２で支持しているので、製造誤差や建物への取付け時の変形による第２の取付ブラケット２２と第２の支持軸５７とが非垂直状態で連結されるのが許容される。【００２６】
図６及び図７に示すように、第１、第２の支持軸５０、５７から径方向に離れた位置の側部カバー１１ｇ、１１ｉには、外方へ突出するガイドピン５９が取付けられている。ガイドピン５９は、ブッシュ５９ａが装着され、第１、第２の取付ブラケット２１、２２に設けられた円弧状長孔１１ｊに挿通され、端部にワッシャ５８が嵌合される。ナット５５により、ワッシャ５８をガイドピン５９の端部に固定する。【００２７】
第１、第２の取付ブラケット２１、２２の上部間は、２本のステー２５により接続、固定される。第１、第２の取付ブラケット２１、２２の上端部は、外方へ直角に屈曲され取付フランジ２１ａ、２２ａとなっている。取付フランジ２１ａ、２２ａの外方先端部の両側には、建物の天井等から垂下された吊ボルト２７が挿通される切欠き部２１ｂ、２２ｂが設けられている。第１、第２の取付ブラケット２１、２２の上部間を、２本のステー２５により接続、固定したので、取付フランジ２１ａと２２ａと間の間隔と支持軸回りの位相が揃い、送風装置１００の建物への設置作業が容易となる。また、第１、第２の支持軸５０、５７への曲げ応力が軽減される。【００２８】
切欠き部２１ｂ、２２ｂに吊ボルト２７、２７を挿通させ、ナット５５、５５により、取付フランジ２１ａ、２２ａを挟みつけ、第１、第２の取付ブラケット２１、２２を吊ボルト２７により吊下げることができる。図３に示すように、切欠き部２１ｂ（２２ｂ）と２１ｂ（２２ｂ）との間の距離Ｄは、端子台カバー２１ｃの幅よりも大きくなっていて、吊ボルト２７が、取付フランジ２１ａ（２２ａ）から下に大きく突出するような場合でも、吊ボルト２７が端子台カバー２１ｃに当たることはない。【００２９】
送風機本体１０が、第１、第２の支持軸５０、５７回りに俯仰動すると、ガイドピン５９及びブッシュ５９ａは、円弧状長孔１１ｊにガイドされて円弧状に動く。ガイドピン５９が第１、第２の取付ブラケット２１、２２に係合しているので、万一、第１、第２の支持軸５０、５７が折損するようなことがあっても、送風装置本体１０が落下することはない。【００３０】
第１の取付ブラケット２１の上部には、送風ファン１２の駆動電源配線、ステッピングモータ３０の駆動電源配線及び風向切替コントローラー４０からの信号配線の３系統の外部配線が接続される端子台（図示せず）が設置されている。端子台は、端子台カバー２１ｃにより覆われている。【００３１】
端子台に接続された３系統の外部配線を、端子台の出口側で、フレキシブルチューブ２１ｅにより一本に纏められた内部配線２１ｄは、側部カバー１１ｇ及び筐体１１の左側壁１１ｆを通して制御ボックス１１ａ内に引込まれ、制御部３７及び送風ファン１２に接続される。また、制御部３７からステッピングモータ３０及びリミットスイッチ３４に配線される。第１の取付ブラケット２１の外側に配置された内部配線２１ｄ及びフレキシブルチューブ２１ｅの部分は、配線カバー２１ｆにより覆われている。【００３２】
図８−１及び図８−２に示すように、リモートコントローラーとしての風向切替コントローラー４０は、本体部４１とパネル部４２とを備えている。パネル部４２には、送風機本体１０の俯仰角度を調整する角度調整ダイヤル４３が備えられている。実施の形態１の送風装置１００では、角度調整ダイヤル４３は、１〜６の６段階の目盛位置に合わせることができる。【００３３】
俯仰角度銘板４４に表示されているように、角度調整ダイヤル４３を目盛１に合わせると、風向切替コントローラ４０は、送風機本体１０の空気吹出口１１ｃを、上向２２．５°に向けるように、俯仰角度指令信号を制御部３７に送信する。制御部３７は、俯仰角度指令信号に基づいて、ステッピングモータ３０を回転させ、空気吹出口１１ｃを、一旦、上向３０°に向けて俯仰角度原点を確認した後、ステッピングモータ３０を逆回転させ、上向２２．５°に向けて停止させる。角度調整ダイヤル４３を目盛２〜６に合わせれば、同様に、空気吹出口１１ｃを、水平０°〜下向９０°に、２２．５°の角度ピッチで調整することができ、送風機本体１０の遠隔俯仰動操作を容易に、迅速に、かつ、正確に行うことができる。【００３４】
送風機本体１０の空気吹出口１１ｃの俯仰角度調整は、上記の実施の形態１の角度調整範囲及び角度ピッチに限定されない。角度調整範囲を水平０°〜下向９０°とし、角度ピッチを２２．５°としてもよいし、角度調整範囲を前上向４５°〜下向９０°〜後上向４５°（合計２７０°）とし、角度ピッチを２２．５°としてもよいし、角度調整範囲を前上向３０°〜下向９０°〜後上向３０°（合計２４０°）とし、角度ピッチを３０°としてもよい。角度調整範囲及び角度ピッチは、ユーザー側のニーズに応じて任意に設定することができる。【００３５】
また、図示はしないが、風向切替コントローラー４０に、送風装置１００の風量調整手段としての風量調整ダイヤルを設け、例えば、空気吹出口１１ｃが水平０°を向いているときは、５機の送風ファン１２を作動させ、３０ｍ程度の遠方まで送風するようにし、空気吹出口１１ｃが下向９０°を向いているときは、３機の送風ファン１２を作動させるようにし、人がいる下方には強い風を吹かせないようにしてもよい。この送風機本体１０の俯仰角度に応じた風量調整は、送風ファン１２の回転数を制御して行うようにしてもよい。【００３６】
以上説明した実施の形態１の送風装置１００は、送風ファン１２を内蔵し、空気吸込口１１ｃ及び空気吹出口１１ｅを有する送風機本体１０と、建物に取付けられ、送風機本体１０を俯仰動可能に支持する取付ブラケット２１、２２と、送風機本体１０を俯仰動させる電動機３０と、電動機３０を制御するリモートコントローラー４０と、を備えるので、小型で風量損失が小さく、遠隔操作により、空気の吹き出し方向を、容易に、広範囲に、かつ、木目細かく調整することができる。【００３７】
また、送風機本体１０が俯仰動すると、空気吸込口１１ｅ及び送風機本体１０の上面も俯仰動するので、埃が付着し易い空気吸込口１１ｅ及び送風機本体１０の上面を、下又は横向きにし、長い柄に取付けた箒等で清掃することができる。【００３８】
実施の形態２．
図９は、本発明にかかる送風装置の実施の形態２を示す正面図であり、図１０は、実施の形態２の送風装置の上面図であり、図１１は、実施の形態２の送風装置の左側面図である。【００３９】
図９〜図１１に示すように、実施の形態２の送風装置２００は、建物の換気補助用の送風装置であり、軸流型の送風ファン１２を筐体２１１内に内臓する送風機本体２１０と、建物の天井付近に取付けられ、送風機本体２１０を俯仰動（上下揺動）可能に軸支持する第１、第２の取付ブラケット２２１、２２２と、送風機本体２１０を俯仰動させる電動機３０(図５参照)と、建物の内壁等に設置され電動機３０の制御部３７（図５参照）に俯仰角度指令を送信するリモートコントローラーとしての風向切替コントローラー４０（図８−１、図８−２参照）と、を備えている。【００４０】
送風機本体２１０の筐体２１１は、左右方向に長い直方体状に形成されている。筐体２１１は、その全てが、送風ファンボックス２１１ｂとなっている。送風ファンボックス２１１ｂ内には、左右方向に一列に５台の軸流型の送風ファン１２が設置されている。実施の形態２の送風装置２００では、実施の形態１の送風装置１００と異なり、電動機３０及び制御部３７を収容する制御ボックス２１１ａは、第１の取付ブラケット２２１の外側に設置されている。【００４１】
送風ファンボックス２１１ｂの前面には、長方形の空気吹出口２１１ｃが形成され、空気吹出口２１１ｃの上下方向中央部には、空気吹出口２１１ｃを上下に分け、送風ファン１２が吹出す空気を上下に分流して風速を増大させ、遠くまで届くようにする風向ガイド２１１ｄが設けられている。また、送風ファンボックス２１１ｂの後面には、空気吸込口２１１ｅが形成されている。【００４２】
図示はしないが、第１の取付ブラケット２２１には、第１の取付ブラケット２２１を貫通する第１の支持軸５０（以下の説明では、符号は図５参照）が取付けられている。第１の支持軸５０の軸方向中央部には、フランジ部５０ａが設けられている。フランジ部５０ａを挟むように２つのころがり軸受５１、５１の内輪が第１の支持軸５０に両側から嵌め込まれ、ころがり軸受５１、５１の外輪が軸受ホルダ５２、５２により、第１の取付ブラケット２２１に固定される。フランジ部５０ａがスラスト荷重受けとなり、第１の支持軸５０は、軸方向に動かないように固定される。【００４３】
第１の取付ブラケット２２１の外側に、モータブラケット３１を介して、電動機としてのステッピングモータ３０が取付けられる。ステッピングモータ３０の回転軸３０ａと第１の支持軸５０の左端部（図５では、右端部）とが、カップリング３２により連結される。カップリング３２により、製造誤差による回転軸３０ａと第１の支持軸５０との間の軸ずれ及び軸傾斜が許容される。【００４４】
ころがり軸受５１とカップリング３２の間の第１の支持軸５０には、送風機本体２１０の俯仰角度原点（仰角３０°）を示す原点突起３３が取付けられている。第１の取付ブラケット２２１の外側には、原点突起３３の俯仰角度位置を検出するリミットスイッチ３４が取付けられている。ステッピングモータ３０の上方の制御ボックス２１１ａ内には、風向切替コントローラー４０からの俯仰角度指令に基づいて、ステッピングモータ３０を所定角度回転させる制御部３７が設置されている。【００４５】
筐体２１１（送風ファンボックス２１１ｂ）の側部カバー２１１ｇに取付けられた球面軸受５３に、第１の支持軸５０の右側（図５では左側）を挿通し、Ｄカットされた右端部に止め板５４を嵌合し、ナット５５により止め板５４を左端部に固定する。第１の支持軸５０の軸線が、送風機本体２１０の略重心位置を通るように、球面軸受５３が側部カバー２１１ｇに配置されている。送風機本体２１０の上下揺動の支持軸を、送風機本体２１０の略重心位置に配置して、電動機３０のトルク負荷を軽減させている。【００４６】
止め板５４の両端部を弾性連結部材としてのゴムブッシュ５６、５６を介して側部カバー２１１ｇにねじ止めする。球面軸受５３、止め板５４及びゴムブッシュ５６を介して、第１の支持軸５０を側部カバー２１１ｇに固定したので、製造誤差等による側部カバー２１１ｇ（筐体２１１）と第１の支持軸５０とが非垂直状態で連結されるのが許容される。【００４７】
筐体２１１の側部カバー２１１ｉと第２の取付ブラケット２２２との連結構造は、図６に示す実施の形態１の側部カバー１１ｉと第２の取付ブラケット２２との連結構造と同一であるので、その説明は省略するが、実施の形態２では、第２の支持軸５７及びガイドピン５９を覆う軸カバー２２２ｃを第２の取付ブラケット２２２に取付けている。【００４８】
図示しないが、第１、第２の取付ブラケット２２１、２２２の上部間は、２本のステーにより接続、固定される。第１、第２の取付ブラケット２２１、２２２の上端部は、外方へ直角に屈曲され取付フランジ２２１ａ、２２２ａとなっている。取付フランジ２２１ａ、２２２ａの外方先端部の両側には、建物の天井等から垂下された吊ボルト２７（図７参照）が挿通される切欠き部２２１ｂ、２２２ｂが設けられている。【００４９】
制御ボックス２１１ａの上部には、送風ファン１２の駆動電源配線、ステッピングモータ３０の駆動電源配線及び風向切替コントローラー４０からの信号配線の３系統の外部配線が接続される端子台（図示せず）が設置されている。【００５０】
端子台に接続された３系統の外部配線のうち、送風ファン１２の駆動電源配線は、端子台の出口側で、フレキシブルチューブ２１ｅにより一本に纏められ、側部カバー２１１ｇに設置された内部配線端子ボックス２２１ｃ、側部カバー２１１ｇ及び筐体２１１の左側壁を通して送風ファンボックス２１１ｂ内に引込まれ、送風ファン１２に接続される。また、ステッピングモータ３０の駆動電源配線及び風向切替コントローラー４０からの信号配線は、制御部３７からステッピングモータ３０及びリミットスイッチ３４に配線される。【００５１】
実施の形態２の送風装置２００の風向切替コントローラー４０は、実施の形態１のものと同一であるので、その説明は省略する。以上説明した実施の形態２の送風装置２００によれば、電動機３０が、取付ブラケット２２１ａに設置され、電動機３０の回転軸が送風機本体２１０に連結されているので、送風装置２００の構造が簡素であり、製造コストを低減することができる。また、固定設置式の送風機本体２１０を用いて俯仰動式の送風装置２００を製作することができる。【００５２】
実施の形態３．
図１２は、本発明にかかる送風装置の実施の形態３を示す正面図であり、図１３は、実施の形態３の送風装置の上面図であり、図１４は、実施の形態３の送風装置を建物に設置した状態を示す平面図であり、図１５は、実施の形態３の送風装置を建物に設置した状態を示す側面図である。【００５３】
図１２及び図１３に示すように、実施の形態３の送風装置３００は、建物の換気補助用の送風装置であり、軸流型の送風ファン１２を筐体３１１ａ内に内臓する第１の送風機本体３１０ａと、送風ファン１２を筐体３１１ｂ内に内臓する第２の送風機本体３１０ｂと、建物の天井付近に取付けられ第１、第２の送風機本体３１０ａ、３１０ｂを俯仰動（上下揺動）可能に軸支持する第１、第２の取付ブラケット３２１、３２２と、第１、第２の送風機本体３１０ａ、３１０ｂを夫々独立に俯仰動させる電動機３０、３０(図５参照)と、建物の内壁等に設置され電動機３０、３０の制御部３７、３７（図５参照）に夫々俯仰角度指令を送信するリモートコントローラーとしての風向切替コントローラー４０、４０（図８−１、図８−２参照）と、を備えている。【００５４】
第１の送風機本体３１０ａの筐体３１１ａは、左右方向に長い直方体状に形成されている。筐体３１１ａの左側略１／３は、電動機３０及び制御部３７を収容する制御ボックス３１１ｃとなっていて、残りの略２／３は、送風ファンボックス３１１ｄとなっている。送風ファンボックス３１１ｄ内には、左右方向に一列に３台の軸流型の送風ファン１２が設置されている。【００５５】
また、第２の送風機本体３１０ｂの筐体３１１ｂは、左右方向に長い直方体状に形成されている。筐体３１１ｂの右側略１／２は、電動機３０及び制御部３７を収容する制御ボックス３１１ｅとなっていて、残りの略１／２は、送風ファンボックス３１１ｆとなっている。送風ファンボックス３１１ｆ内には、左右方向に一列に２台の軸流型の送風ファン１２が設置されている。【００５６】
送風ファンボックス３１１ｄ、３１１ｆの前面には、夫々長方形の空気吹出口３１１ｇ、３１１ｈが形成され、空気吹出口３１１ｇ、３１１ｈの上下方向中央部には、空気吹出口３１１ｇ、３１１ｈを上下に分け、送風ファン１２が吹出す空気を上下に分流して風速を増大させ、遠くまで届くようにする風向ガイド３１１ｉ、３１１ｊが設けられている。また、送風ファンボックス３１１ｄ、３１１ｆの後面には、空気吸込口３１１ｋ、３１１ｍが形成されている。【００５７】
第１、第２の取付ブラケット３２１、３２２と、第１、第２の送風機本体３１０ａ、３１０ｂとの連結構造及び配線構造は、実施の形態１の第１の取付ブラケット２１と、第１の送風機本体１０との連結構造及び配線構造と同一であるので、その説明は省略する。【００５８】
また、第１、第２の送風機本体３１０ａ、３１０ｂ同士の連結構造は、実施の形態１の第２の取付ブラケット２２と、第１の送風機本体１０との連結構造と略同一であるので、その説明は省略するが、実施の形態３では、第１、第２の送風機本体３１０ａ、３１０ｂ同士の連結軸を、第１、第２の取付ブラケット３２１、３２２同士を連結するステー３２５から垂下させた垂下板３２５ａにより懸架している。【００５９】
実施の形態３の送風装置３００は、第１、第２の送風機本体３１０ａ、３１０ｂを、異なる俯仰角度に設定することができるので、図１４及び図１５に示すように、部分的に奥行きが異なる建物に設置されたような場合、例えば、第１の送風機本体３１０ａを下向き１５°、第２の送風機本体３１０ｂを下向き３０°に設定することにより、部分的に奥行きが異なる建物の隅々まで空気を循環させることができる。
【産業上の利用可能性】
【００６０】
以上のように、本発明にかかる送風装置は、駐車場、工場、体育館、倉庫等、大空間を有する建物の天井付近に設置される送風装置として有用である。
【図１】
2009107200.tif 000003
【図２】
2009107200.tif 000004
【図３】
2009107200.tif 000005
【図４】
2009107200.tif 000006
【図５】
2009107200.tif 000007
【図６】
2009107200.tif 000008
【図７】
2009107200.tif 000009
【図８−１】
2009107200.tif 000010
【図８−２】
2009107200.tif 000011
【図９】
2009107200.tif 000012
【図１０】
2009107200.tif 000013
【図１１】
2009107200.tif 000014
【図１２】
2009107200.tif 000015
【図１３】
2009107200.tif 000016
【図１４】
2009107200.tif 000017
【図１５】
2009107200.tif 000018
【国際調査報告】
2009107200.tif 000019
2009107200.tif 000020
2009107200.tif 000021
2009107200.tif 000022